(57)【要約】【課題】ディスク装置を異なる仕様の各種ディスクに対応させる。【解決手段】第一系列ディスク４１０に対応した第一ピックアップ装置１０と、第一系列ディスク４１０と異なる仕様の第二系列ディスクに対応した第二ピックアップ装置２０とを備えるディスク装置３００を構成する。第一系列ディスク４１０として、ディスク本体４１１を保護するカートリッジ４１５が装備されたカートリッジ付ディスク４１０が用いられた。第一ピックアップ装置１０が装備される第一シャーシ２１０と、第二ピックアップ装置２０が装備される第二シャーシ２２０と、第一シャーシ２１０及び第二シャーシ２２０を収容可能なディスク装置本体３５０とをさらに備え、ディスク装置本体３５０に対し、第一系列ディスク４１０の挿入又は排出が行われるときに、第一シャーシ２１０又は第二シャーシ２２０の何れか一方又は両方が可動する。汎用性に優れたディスク装置３００を提供できる。【選択図】図２
2007073092.tif 000002
【特許請求の範囲】
【請求項１】
第一系列ディスクに対応した第一ピックアップ装置と、
該第一系列ディスクと異なる仕様の第二系列ディスクに対応した第二ピックアップ装置と
を備えることを特徴とするディスク装置。
【請求項２】
前記第一系列ディスクとして、ディスク本体を保護するカートリッジが装備されたカートリッジ付ディスクが用いられたことを特徴とする請求項１に記載のディスク装置。
【請求項３】
前記第一ピックアップ装置が装備される第一シャーシと、
前記第二ピックアップ装置が装備される第二シャーシと、
該第一ピックアップ装置が装備された該第一シャーシおよび該第二ピックアップ装置が装備された該第二シャーシを収容可能なディスク装置本体と
をさらに備え、
該ディスク装置本体に対し、前記第一系列ディスクの挿入または排出が行われるときに、該第一シャーシまたは該第二シャーシの何れか一方または両方が可動することを特徴とする請求項１又は２に記載のディスク装置。
【請求項４】
前記第一系列ディスクが前記ディスク装置本体内に挿入されたときに、該ディスク装置本体の基板に対し傾斜された前記第一シャーシまたは前記第二シャーシの何れか一方または両方を、該第一系列ディスクに向けて可動させて、該第一系列ディスクから離間した前記第一ピックアップ装置または前記第二ピックアップ装置の何れか一方または両方を、該第一系列ディスクに近接させることを特徴とする請求項３に記載のディスク装置。
【請求項５】
前記第一系列ディスクが前記ディスク装置本体内から排出されるときに、前記第一シャーシまたは前記第二シャーシの何れか一方または両方を、該ディスク装置本体の基板に対し傾斜させて、該第一系列ディスクに近接した前記第一ピックアップ装置または前記第二ピックアップ装置の何れか一方または両方を、該第一系列ディスクから離間させることを特徴とする請求項３又は４に記載のディスク装置。
【請求項６】
各部品が装着されるメインシャーシと、
該メインシャーシと前記第一シャーシとを回動可能に連結する第一ヒンジと、
該第一シャーシと前記第二シャーシとを回動可能に連結する第二ヒンジと
をさらに備えることを特徴とする請求項３〜５の何れか１項に記載のディスク装置。
【請求項７】
前記第一系列ディスクが挿入または排出される開口部が、前記ディスク装置本体の前側部に設けられ、
該ディスク装置本体の後側部に対応した前記メインシャーシの後部と、該メインシャーシの該後部に対応した前記第一シャーシの後部とが、前記第一ヒンジにより回動可能に連結され、
該ディスク装置本体の該前側部に対応した該第一シャーシの前部と、該第一シャーシの該前部に対応した前記第二シャーシの前部とが、前記第二ヒンジにより回動可能に連結されたことを特徴とする請求項６に記載のディスク装置。
【請求項８】
前記第二系列ディスクとして、ディスク本体を保護するカートリッジが未装備のディスクが用いられたことを特徴とする請求項１〜７の何れか１項に記載のディスク装置。
【請求項９】
前記第二系列ディスクとして、ディスク本体を保護するカートリッジが装備されたカートリッジ付ディスクが用いられ、該第二系列ディスクの該カートリッジは、前記第一系列
ディスクに装備されたカートリッジと異なる形状とされたことを特徴とする請求項１〜７の何れか１項に記載のディスク装置。
【請求項１０】
第一系列メディアに対応可能な第一ピックアップ装置と、
該第一系列メディアと異なるメディアとされる第二系列メディアに対応可能な第二ピックアップ装置と
を備えることを特徴とする請求項１〜９の何れか１項に記載のディスク装置。
【発明の詳細な説明】
【技術分野】
【０００１】
本発明は、ディスク等のメディアに記録されたデータを再生させることや、ディスク等のメディアにデータを記録させることが可能なディスク装置に関するものである。
【背景技術】
【０００２】
図７は、従来のディスク装置の一形態を示すものである。
【０００３】
ディスク装置８００が用いられて、ディスク９００などのメディアのデータが読み出される。また、ディスク装置８００が用いられて、ディスク９００などのメディアにデータが記録される。ディスク９００のデータを読み取ったり、ディスク９００にデータを記録させたりするピックアップ装置５００が、ディスク装置８００に装備されている。ディスク９００に記録されたデータが読み出されるときに、レーザ光を出射するピックアップ装置５００が用いられる。また、ディスク９００にデータを記録するときに、レーザ光を出射するピックアップ装置５００が用いられる。
【０００４】
レーザ光は、例えば、短波長で位相がそろえられた光を意味する。レーザ（LASER ）は、「light amplification by stimulated emission of radiation 」の略称である。
【０００５】
ディスク９００として、例えば、ＣＤ系列の光ディスクや、ＤＶＤ系列の光ディスクなどが挙げられる。「ＣＤ」は、「Compact Disc」（商標）の略称である。また、「ＤＶＤ」は「Digital Versatile Disc」（登録商標）の略称である。詳しく説明すると、ディスクとして、例えば、ＣＤ−ＲＯＭ，ＤＶＤ−ＲＯＭなどの読出し専用のディスクや、ＣＤ−Ｒ，ＤＶＤ±Ｒなどの追記型のディスクや、ＣＤ−ＲＷ，ＤＶＤ±ＲＷ，ＤＶＤ−ＲＡＭなどの書込み／消去や書換え可能なタイプのディスクなどが挙げられる。
【０００６】
「ＣＤ−ＲＯＭ」もしくは「ＤＶＤ−ＲＯＭ」の「ＲＯＭ」は、「Read Only Memory」の略称である。ＣＤ−ＲＯＭもしくはＤＶＤ−ＲＯＭは、データ読出し専用である。また、「ＣＤ−Ｒ」または「ＤＶＤ±Ｒ」の「Ｒ」は、「Recordable」の略称である。ＣＤ−ＲまたはＤＶＤ±Ｒは、データの書込みが可能なものである。また、「ＣＤ−ＲＷ」または「ＤＶＤ±ＲＷ」の「ＲＷ」は、「Re-Writable 」の略称である。ＣＤ−ＲＷまたはＤＶＤ±ＲＷは、データの書換えが可能なものである。また、「ＤＶＤ−ＲＡＭ」は、「Digital Versatile Disc Random Access Memory 」の略称である。ＤＶＤ−ＲＡＭは、データの読み書き・消去が可能なものである。
【０００７】
近年、ディスク９００の規格は、多様化される傾向にある。上述した如く、ディスク９００として、例えば、ＣＤ−ＲＯＭ，ＣＤ−Ｒ，ＣＤ−ＲＷ，ＤＶＤ−ＲＡＭ，ＤＶＤ−ＲＷ，ＤＶＤ＋ＲＷ（登録商標）などの各種ディスク９００が挙げられる。また、「ＨＤ−ＤＶＤ」（商標），「Blu ray Disc」（商標）などの高密度ディスクが提案された。
【０００８】
「ＨＤ−ＤＶＤ」（商標）は、「High Definition DVD 」の略称である。「ＨＤ−ＤＶＤ」（商標）は、従来のＤＶＤ系列のものと互換性をもたせ、且つ、従来のＤＶＤ系列の光ディスク９００よりも記憶容量の大きいものである。従来のＣＤには、赤外レーザが用いられていた。また、従来のＤＶＤには、赤色レーザが用いられていた。しかしながら、「ＨＤ−ＤＶＤ」（商標）の光ディスク９００に記録されたデータ／情報が読み出されるときには、青紫色レーザが用いられる。また、「Blu ray 」とは、従来の信号の読み書きに用いられていた赤色のレーザに対し、高密度記録が実現されるために採用された青紫色のレーザを意味する。
【０００９】
また、外部のものから光ディスク本体を保護する薄型カートリッジに、光ディスク本体が収容されたカートリッジ付光ディスクも提案されている（何れも図示せず）。
【００１０】
カートリッジ付光ディスクが紹介されたものとして、例えば、ディスクカートリッジのコンテンツを再生することなく、どのようなコンテンツがどのディスクカートリッジに記録されているかを容易に知ることが可能なディスクカートリッジおよびその製造方法ならびに記録再生システムというものがある（例えば、特許文献１参照。）。
【００１１】
内部に光ディスク本体を備えた薄型カートリッジが、これに対応した光ディスク装置（図示せず）に装着され、この光ディスク装置内でカートリッジに装備されたシャッタが開けられて、カートリッジ内の光ディスク本体のデータが読み出される。また、内部に光ディスク本体を備えた薄型カートリッジが、これに対応した光ディスク装置に装着され、この光ディスク装置内でカートリッジに装備されたシャッタが開けられて、カートリッジ内の光ディスク本体にデータが記録される。
【特許文献１】特開２００２−６３７７８号公報（第１，５頁、図３，図５，図１０）
【発明の開示】
【発明が解決しようとする課題】
【００１２】
しかしながら、図７に示す上記従来の光ディスク装置８００にあっては、塵や埃や外部のものからディスク本体を保護するカートリッジが装備されたディスクいわゆるカートリッジ付ディスクに対し、非対応とされていた。カートリッジ付ディスクのデータが再生されたり、カートリッジ付ディスクにデータが記録されたりするときには、カートリッジ付ディスクに対応したディスク装置が必要とされていた。
【００１３】
カートリッジが装備されていないディスク９００のデータが再生されたり、カートリッジが装備されていないディスク９００にデータが記録されたりするときには、カートリッジが装備されていないディスク９００に対応したディスク装置８００が必要とされる。
【００１４】
本発明は、上記した点に鑑み、異なる仕様の各種ディスクに対応したディスク装置を提供することを目的とする。
【課題を解決するための手段】
【００１５】
上記目的を達成するために、本発明の請求項１に係るディスク装置は、第一系列ディスクに対応した第一ピックアップ装置と、該第一系列ディスクと異なる仕様の第二系列ディスクに対応した第二ピックアップ装置とを備えることを特徴とする。
【００１６】
上記構成により、一つのディスク装置にて、第一系列ディスクまたは第二系列ディスクのデータ再生が行われる。第一系列ディスクに対応した第一ピックアップ装置と、第二系列ディスクに対応した第二ピックアップ装置とがディスク装置に装備されることにより、第一系列ディスクの仕様と、第二系列ディスクの仕様とが異なっていても、各種ディスクに対応して各ピックアップ装置が機能する。即ち、一つのディスク装置にて、各仕様のディスクのデータが再生されることとなる。従って、異なる仕様の各種ディスクに対応したディスク装置の提供が可能となる。
【００１７】
請求項２に係るディスク装置は、請求項１に記載のディスク装置において、前記第一系列ディスクとして、ディスク本体を保護するカートリッジが装備されたカートリッジ付ディスクが用いられたことを特徴とする。
【００１８】
上記構成により、ディスク装置は、各種ディスクに対応可能な汎用性に優れるものとして使用可能とされる。これまでは、ディスク本体を保護するカートリッジが装備された第一系列ディスクのデータが再生されるときには、第一系列ディスクに対応したディスク装置が必要とされていた。また、これまでは、例えば、第一系列ディスクと異なる仕様とされるカートリッジ未装着の第二系列ディスクのデータが再生されるときには、第二系列ディスクに対応したディスク装置が必要とされていた。しかしながら、第一系列ディスクと、第二系列ディスクとに対応するディスク装置が構成されていれば、一つのディスク装置で、第一系列ディスクまたは第二系列ディスクのデータ再生が実行可能となる。従って、汎用性に優れたディスク装置の提供が可能となる。
【００１９】
請求項３に係るディスク装置は、請求項１又は２に記載のディスク装置において、前記第一ピックアップ装置が装備される第一シャーシと、前記第二ピックアップ装置が装備される第二シャーシと、該第一ピックアップ装置が装備された該第一シャーシおよび該第二ピックアップ装置が装備された該第二シャーシを収容可能なディスク装置本体とをさらに備え、該ディスク装置本体に対し、前記第一系列ディスクの挿入または排出が行われるときに、該第一シャーシまたは該第二シャーシの何れか一方または両方が可動することを特徴とする。
【００２０】
上記構成により、第一系列ディスクは、ディスク装置本体内にスムーズに挿入される。また、第一系列ディスクは、ディスク装置本体内からスムーズに排出される。シャーシとは、例えば、部品が取り付けられる台を意味する。ディスク装置本体に対し、第一系列ディスクの挿入または排出が行われるときに、第一ピックアップ装置を備える第一シャーシまたは第二ピックアップ装置を備える第二シャーシの何れか一方または両方が可動するので、第一ピックアップ装置または第二ピックアップ装置の何れか一方または両方が、第一系列ディスクと干渉するという不具合の発生は回避される。従って、ディスク装置本体に対する第一系列ディスクの着脱作業は、スムーズに行われる。
【００２１】
請求項４に係るディスク装置は、請求項３に記載のディスク装置において、前記第一系列ディスクが前記ディスク装置本体内に挿入されたときに、該ディスク装置本体の基板に対し傾斜された前記第一シャーシまたは前記第二シャーシの何れか一方または両方を、該第一系列ディスクに向けて可動させて、該第一系列ディスクから離間した前記第一ピックアップ装置または前記第二ピックアップ装置の何れか一方または両方を、該第一系列ディスクに近接させることを特徴とする。
【００２２】
上記構成により、第一系列ディスクは、ディスク装置本体内にスムーズに挿入される。第一系列ディスクがディスク装置本体内に挿入されるときに、第一ピックアップ装置を備える第一シャーシまたは第二ピックアップ装置を備える第二シャーシの何れか一方または両方は、ディスク装置本体の基板に対して傾斜され、第一ピックアップ装置または第二ピックアップ装置の何れか一方または両方は、第一系列ディスクから離間されているので、第一系列ディスクが第一ピックアップ装置または第二ピックアップ装置の何れか一方または両方に当たり、ディスク装置本体内に第一系列ディスクがスムーズに挿入されないという不具合の発生は回避される。また、第一系列ディスクから離間した第一ピックアップ装置または第二ピックアップ装置の何れか一方または両方を、第一系列ディスクに近接させることで、第一系列ディスクのデータ再生が可能となる。
【００２３】
請求項５に係るディスク装置は、請求項３又は４に記載のディスク装置において、前記第一系列ディスクが前記ディスク装置本体内から排出されるときに、前記第一シャーシまたは前記第二シャーシの何れか一方または両方を、該ディスク装置本体の基板に対し傾斜させて、該第一系列ディスクに近接した前記第一ピックアップ装置または前記第二ピックアップ装置の何れか一方または両方を、該第一系列ディスクから離間させることを特徴と
する。
【００２４】
上記構成により、第一系列ディスクは、ディスク装置本体内からスムーズに排出される。第一系列ディスクがディスク装置本体内から排出されるときに、第一ピックアップ装置を備える第一シャーシまたは第二ピックアップ装置を備える第二シャーシの何れか一方または両方を、ディスク装置本体の基板に対し傾斜させて、第一系列ディスクに近接した第一ピックアップ装置または第二ピックアップ装置の何れか一方または両方を、第一系列ディスクから離間させるので、第一系列ディスクが第一ピックアップ装置または第二ピックアップ装置の何れか一方または両方に引っ掛かり、ディスク装置本体内から第一系列ディスクがスムーズに排出されなという不具合の発生は回避される。
【００２５】
請求項６に係るディスク装置は、請求項３〜５の何れか１項に記載のディスク装置において、各部品が装着されるメインシャーシと、該メインシャーシと前記第一シャーシとを回動可能に連結する第一ヒンジと、該第一シャーシと前記第二シャーシとを回動可能に連結する第二ヒンジとをさらに備えることを特徴とする。
【００２６】
上記構成により、メインシャーシに対し、第一ピックアップ装置を備える第一シャーシは、第一ヒンジによりスムーズに回動される。また、第一ピックアップ装置を備える第一シャーシに対し、第二ピックアップ装置を備える第二シャーシは、第二ヒンジによりスムーズに回動される。ヒンジとは、例えば、回動自在な支点を備える機構のものを意味する。第一ピックアップ装置を備える第一シャーシおよび第二ピックアップ装置を備える第二シャーシは、スムーズに回動されるので、ディスク装置本体に対する第一系列ディスクの着脱作業が行われるときに、第一系列ディスクと、第一ピックアップ装置または第二ピックアップ装置の何れか一方または両方とが干渉し、ディスク装置本体に対する第一系列ディスクの着脱作業に支障をきたすという不具合の発生は回避される。
【００２７】
請求項７に係るディスク装置は、請求項６に記載のディスク装置において、前記第一系列ディスクが挿入または排出される開口部が、前記ディスク装置本体の前側部に設けられ、該ディスク装置本体の後側部に対応した前記メインシャーシの後部と、該メインシャーシの該後部に対応した前記第一シャーシの後部とが、前記第一ヒンジにより回動可能に連結され、該ディスク装置本体の該前側部に対応した該第一シャーシの前部と、該第一シャーシの該前部に対応した前記第二シャーシの前部とが、前記第二ヒンジにより回動可能に連結されたことを特徴とする。
【００２８】
上記構成により、ディスク装置本体に対する第一系列ディスクの着脱作業は、よりスムーズに行われる。第一系列ディスクがディスク装置本体の前側部の開口部にて挿入または排出されるときに、メインシャーシの後部に第一ヒンジを介して連結された第一シャーシが回動されて、第一シャーシに装備された第一ピックアップ装置と、第一系列ディスクとの干渉が回避される。また、第一系列ディスクがディスク装置本体の前側部の開口部にて挿入または排出されるときに、第一シャーシの前部に第二ヒンジを介して連結された第二シャーシが回動されて、第二シャーシに装備された第二ピックアップ装置と、第一系列ディスクとの干渉が回避される。
【００２９】
請求項８に係るディスク装置は、請求項１〜７の何れか１項に記載のディスク装置において、前記第二系列ディスクとして、ディスク本体を保護するカートリッジが未装備のディスクが用いられたことを特徴とする。
【００３０】
上記構成により、ディスク装置は、各種ディスクに対応可能な汎用性に優れるものとして使用可能とされる。ディスクの仕様は、主に二つに大別される。例えば、第一系列ディスクとして、ディスク本体を保護するカートリッジが装備されたカートリッジ付ディスク
が挙げられる。また、第二系列ディスクとして、ディスク本体を保護するカートリッジが未装備のディスクが挙げられる。カートリッジ無ディスクは、例えば広範囲のメディアに用いられている。第一系列ディスクと、第二系列ディスクとに対応するディスク装置が構成されていれば、一つのディスク装置で、第一系列ディスクまたは第二系列ディスクのデータ再生が実行可能となる。従って、汎用性に優れたディスク装置の提供が可能となる。
【００３１】
請求項９に係るディスク装置は、請求項１〜７の何れか１項に記載のディスク装置において、前記第二系列ディスクとして、ディスク本体を保護するカートリッジが装備されたカートリッジ付ディスクが用いられ、該第二系列ディスクの該カートリッジは、前記第一系列ディスクに装備されたカートリッジと異なる形状とされたことを特徴とする。
【００３２】
上記構成により、ディスク装置は、各種カートリッジ付ディスクに対応可能な汎用性に優れるものとして使用可能とされる。これまでは、カートリッジが装備された第一系列ディスクのデータが再生されるときには、第一系列ディスクに対応したディスク装置が必要とされていた。また、これまでは、第一系列ディスクのカートリッジと異なる形状のディスク本体保護用カートリッジが装備された第二系列ディスクのデータが再生されるときには、第二系列ディスクに対応したディスク装置が必要とされていた。しかしながら、カートリッジが装備された第一系列ディスクと、第一系列ディスクのカートリッジと異なる形状のディスク本体保護用カートリッジが装備された第二系列ディスクとに対応するディスク装置が構成されていれば、一つのディスク装置で、第一系列ディスクまたは第二系列ディスクのデータ再生が実行可能となる。従って、汎用性に優れたディスク装置の提供が可能となる。
【００３３】
請求項１０に係るディスク装置は、請求項１〜９の何れか１項に記載のディスク装置において、第一系列メディアに対応可能な第一ピックアップ装置と、該第一系列メディアと異なるメディアとされる第二系列メディアに対応可能な第二ピックアップ装置とを備えることを特徴とする。
【００３４】
上記構成により、ディスク装置は、第一系列メディアと、第一系列メディアと異なるメディアとされる第二系列メディアとに対応可能となる。例えば、従来のメディアとの互換性をもたせた第一系列メディア用の第一ピックアップ装置と、従来のメディアとの互換性がもたされず第一系列メディアと異なるメディアとされた第二系列メディア用の第二ピックアップ装置とは仕様が異なる。第一系列メディアに対応した第一ピックアップ装置と、第二系列メディアに対応した第二ピックアップ装置とが、一つのディスク装置に装備されていれば、このディスク装置は、第一系列メディアのデータ再生が可能となると共に、第二系列メディアのデータ再生も可能となる。従って、第一系列メディアと、第一系列メディアと異なるメディアとされる第二系列メディアとに対応可能なディスク装置の提供が可能となる。
【発明の効果】
【００３５】
以上の如く、請求項１に記載の発明によれば、一つのディスク装置にて、第一系列ディスクまたは第二系列ディスクのデータ再生を行わせることができる。第一系列ディスクに対応した第一ピックアップ装置と、第二系列ディスクに対応した第二ピックアップ装置とがディスク装置に装備されることにより、第一系列ディスクの仕様と、第二系列ディスクの仕様とが異なっていても、各種ディスクに対応して各ピックアップ装置が機能する。即ち、一つのディスク装置にて、各仕様のディスクのデータが再生される。従って、異なる仕様の各種ディスクに対応したディスク装置を提供することができる。
【００３６】
請求項２に記載の発明によれば、ディスク装置は、各種ディスクに対応可能な汎用性に優れるものとして使用可能とされる。これまでは、ディスク本体を保護するカートリッジ
が装備された第一系列ディスクのデータが再生されるときには、第一系列ディスクに対応したディスク装置が必要とされていた。また、これまでは、例えば、第一系列ディスクと異なる仕様とされるカートリッジ未装着の第二系列ディスクのデータが再生されるときには、第二系列ディスクに対応したディスク装置が必要とされていた。しかしながら、第一系列ディスクと、第二系列ディスクとに対応するディスク装置が構成されていれば、一つのディスク装置で、第一系列ディスクまたは第二系列ディスクのデータ再生が実行可能となる。従って、汎用性に優れたディスク装置を提供することができる。
【００３７】
請求項３に記載の発明によれば、第一系列ディスクをディスク装置本体内にスムーズに挿入させることができる。また、第一系列ディスクをディスク装置本体内からスムーズに排出させることができる。ディスク装置本体に対し、第一系列ディスクの挿入または排出が行われるときに、第一ピックアップ装置を備える第一シャーシまたは第二ピックアップ装置を備える第二シャーシの何れか一方または両方が可動するので、第一ピックアップ装置または第二ピックアップ装置の何れか一方または両方が、第一系列ディスクと干渉するという不具合の発生は回避される。従って、ディスク装置本体に対する第一系列ディスクの着脱作業を、スムーズに行わせることができる。
【００３８】
請求項４に記載の発明によれば、第一系列ディスクをディスク装置本体内にスムーズに挿入させることができる。第一系列ディスクがディスク装置本体内に挿入されるときに、第一ピックアップ装置を備える第一シャーシまたは第二ピックアップ装置を備える第二シャーシの何れか一方または両方は、ディスク装置本体の基板に対して傾斜され、第一ピックアップ装置または第二ピックアップ装置の何れか一方または両方は、第一系列ディスクから離間されているので、第一系列ディスクが第一ピックアップ装置または第二ピックアップ装置の何れか一方または両方に当たり、ディスク装置本体内に第一系列ディスクがスムーズに挿入されないという不具合の発生は回避される。また、第一系列ディスクから離間した第一ピックアップ装置または第二ピックアップ装置の何れか一方または両方を、第一系列ディスクに近接させることで、第一系列ディスクのデータ再生が可能となる。
【００３９】
請求項５に記載の発明によれば、第一系列ディスクをディスク装置本体内からスムーズに排出させることができる。第一系列ディスクがディスク装置本体内から排出されるときに、第一ピックアップ装置を備える第一シャーシまたは第二ピックアップ装置を備える第二シャーシの何れか一方または両方を、ディスク装置本体の基板に対し傾斜させて、第一系列ディスクに近接した第一ピックアップ装置または第二ピックアップ装置の何れか一方または両方を、第一系列ディスクから離間させるので、第一系列ディスクが第一ピックアップ装置または第二ピックアップ装置の何れか一方または両方に引っ掛かり、ディスク装置本体内から第一系列ディスクがスムーズに排出されなという不具合の発生は回避される。
【００４０】
請求項６に記載の発明によれば、メインシャーシに対し、第一ピックアップ装置を備える第一シャーシは、第一ヒンジによりスムーズに回動される。また、第一ピックアップ装置を備える第一シャーシに対し、第二ピックアップ装置を備える第二シャーシは、第二ヒンジによりスムーズに回動される。第一ピックアップ装置を備える第一シャーシおよび第二ピックアップ装置を備える第二シャーシは、スムーズに回動されるので、ディスク装置本体に対する第一系列ディスクの着脱作業が行われるときに、第一系列ディスクと、第一ピックアップ装置または第二ピックアップ装置の何れか一方または両方とが干渉し、ディスク装置本体に対する第一系列ディスクの着脱作業に支障をきたすという不具合の発生を回避させることができる。
【００４１】
請求項７に記載の発明によれば、ディスク装置本体に対する第一系列ディスクの着脱作業を、よりスムーズに行わせることができる。第一系列ディスクがディスク装置本体の前
側部の開口部にて挿入または排出されるときに、メインシャーシの後部に第一ヒンジを介して連結された第一シャーシが回動されて、第一シャーシに装備された第一ピックアップ装置と、第一系列ディスクとの干渉が回避される。また、第一系列ディスクがディスク装置本体の前側部の開口部にて挿入または排出されるときに、第一シャーシの前部に第二ヒンジを介して連結された第二シャーシが回動されて、第二シャーシに装備された第二ピックアップ装置と、第一系列ディスクとの干渉が回避される。
【００４２】
請求項８に記載の発明によれば、ディスク装置は、各種ディスクに対応可能な汎用性に優れるものとして使用可能とされる。ディスクの仕様は、主に二つに大別される。例えば、第一系列ディスクとして、ディスク本体を保護するカートリッジが装備されたカートリッジ付ディスクが挙げられる。また、第二系列ディスクとして、ディスク本体を保護するカートリッジが未装備のディスクが挙げられる。カートリッジ無ディスクは、例えば広範囲のメディアに用いられている。第一系列ディスクと、第二系列ディスクとに対応するディスク装置が構成されていれば、一つのディスク装置で、第一系列ディスクまたは第二系列ディスクのデータ再生が実行可能となる。従って、汎用性に優れたディスク装置を提供することができる。
【００４３】
請求項９に記載の発明によれば、ディスク装置は、各種カートリッジ付ディスクに対応可能な汎用性に優れるものとして使用可能とされる。これまでは、カートリッジが装備された第一系列ディスクのデータが再生されるときには、第一系列ディスクに対応したディスク装置が必要とされていた。また、これまでは、第一系列ディスクのカートリッジと異なる形状のディスク本体保護用カートリッジが装備された第二系列ディスクのデータが再生されるときには、第二系列ディスクに対応したディスク装置が必要とされていた。しかしながら、カートリッジが装備された第一系列ディスクと、第一系列ディスクのカートリッジと異なる形状のディスク本体保護用カートリッジが装備された第二系列ディスクとに対応するディスク装置が構成されていれば、一つのディスク装置で、第一系列ディスクまたは第二系列ディスクのデータ再生を実行させることができる。従って、汎用性に優れたディスク装置を提供することができる。
【００４４】
請求項１０に記載の発明によれば、ディスク装置は、第一系列メディアと、第一系列メディアと異なるメディアとされる第二系列メディアとに対応可能となる。例えば、従来のメディアとの互換性をもたせた第一系列メディア用の第一ピックアップ装置と、従来のメディアとの互換性がもたされず第一系列メディアと異なるメディアとされた第二系列メディア用の第二ピックアップ装置とは仕様が異なる。第一系列メディアに対応した第一ピックアップ装置と、第二系列メディアに対応した第二ピックアップ装置とが、一つのディスク装置に装備されていれば、このディスク装置は、第一系列メディアのデータ再生が可能となると共に、第二系列メディアのデータ再生も可能となる。従って、第一系列メディアと、第一系列メディアと異なるメディアとされる第二系列メディアとに対応可能なディスク装置を提供することができる。
【発明を実施するための最良の形態】
【００４５】
以下に本発明に係るディスク装置の一実施の形態を図面に基づいて詳細に説明する。
【００４６】
図１〜図６は、本発明に係るディスク装置の一実施の形態を示すものである。
【００４７】
ディスク装置３００が用いられて、ディスク４１０などのメディアのデータが読み出される。また、ディスク装置３００が用いられて、ディスク４１０などのメディアにデータが記録される。ディスク４１０に記録されたデータが読み出されるときに、レーザ光を出射するピックアップ装置１０または２０が用いられる。また、ディスク４１０にデータを記録するときに、レーザ光を出射するピックアップ装置１０または２０が用いられる。図
１の如く、第一ピックアップ装置１０は、レーザ光をディスクに絞り込む対物レンズ１５を備えて構成される。また、第二ピックアップ装置２０は、レーザ光をディスクに絞り込む対物レンズ２５を備えて構成される。
【００４８】
ディスク装置３００（図１〜図６）を構成する筐体３３０に対し、出入り自在とされたトレー（図示せず）が用いられて、ディスク装置３００内にディスク４１０が収容される。また、ディスク装置３００を構成する筐体３３０内に、ディスク４１０を回転させるディスクドライブ装置３２０が収納されている。また、ディスク４１０のデータを読み取ったり、ディスク４１０にデータを記録させたりするピックアップ装置１０，２０が、ディスク装置３００を構成する筐体３３０内に装備されている。各種部品が装備された筐体３３０にカバー３４０が装着されて、ディスク装置３００が組み立てられる。
【００４９】
ディスク４１０として、例えば、ＣＤ系列の光ディスクや、ＤＶＤ系列の光ディスクなどが挙げられる。「ＣＤ」は、「Compact Disc」（商標）の略称である。また、「ＤＶＤ」は「Digital Versatile Disc」（登録商標）の略称である。ディスクについて詳しく説明すると、ディスクとして、例えば、「ＣＤ−ＲＯＭ」，「ＤＶＤ−ＲＯＭ」などのデータ読出し専用の光ディスクや、「ＣＤ−Ｒ」，「ＤＶＤ−Ｒ」，「ＤＶＤ＋Ｒ」などのデータ追記型の光ディスクや、「ＣＤ−ＲＷ」，「ＤＶＤ−ＲＷ」，「ＤＶＤ＋ＲＷ」（登録商標），「ＤＶＤ−ＲＡＭ」，「ＨＤ  ＤＶＤ」（登録商標），「Blu-ray Disc」（登録商標）などのデータ書込み／消去やデータ書換え可能なタイプの光ディスクなどが挙げられる。
【００５０】
「ＣＤ−ＲＯＭ」もしくは「ＤＶＤ−ＲＯＭ」の「ＲＯＭ」は、「Read Only Memory」の略称である。「ＣＤ−ＲＯＭ」もしくは「ＤＶＤ−ＲＯＭ」は、データ／情報読出し専用のものである。また、「ＣＤ−Ｒ」または「ＤＶＤ−Ｒ」もしくは「ＤＶＤ＋Ｒ」の「Ｒ」は、「Recordable」の略称である。「ＣＤ−Ｒ」または「ＤＶＤ−Ｒ」もしくは「ＤＶＤ＋Ｒ」は、データ／情報の書込みが可能なものである。また、「ＣＤ−ＲＷ」または「ＤＶＤ−ＲＷ」もしくは「ＤＶＤ＋ＲＷ」（登録商標）の「ＲＷ」は、「ReWritable」の略称である。「ＣＤ−ＲＷ」または「ＤＶＤ−ＲＷ」もしくは「ＤＶＤ＋ＲＷ」（登録商標）は、データ／情報の書換えが可能なものである。また、「ＤＶＤ−ＲＡＭ」は、「Digital Versatile Disc Random Access Memory 」の略称である。「ＤＶＤ−ＲＡＭ」は、データ／情報の読み書き／消去が可能なものである。
【００５１】
また、「ＨＤ  ＤＶＤ」（登録商標）は、「High Definition DVD 」の略称である。「ＨＤ  ＤＶＤ」（登録商標）は、従来のＤＶＤ系列のものと互換性をもたせ、且つ、従来のＤＶＤ系列のディスクよりも記憶容量の大きいものである。従来のＣＤには、赤外レーザが用いられていた。また、従来のＤＶＤには、赤色レーザが用いられていた。しかしながら、「ＨＤ  ＤＶＤ」（登録商標）の光ディスクに記録されたデータ／情報が読み出されるときには、青紫色レーザが用いられる。また、「Blu-ray 」とは、従来の信号の読み書きに用いられていた赤色のレーザに対し、高密度記録が実現されるために採用された青紫色のレーザを意味する。
【００５２】
また、ディスクとして、例えばディスク両面に信号面が設けられ、データ書込み／消去やデータ書換えが可能とされた光ディスク（図示せず）等も挙げられる。また、ディスクとして、例えば二層の信号面が設けられ、データ書込み／消去やデータ書換えが可能とされた光ディスク（図示せず）等も挙げられる。また、例えば三層の信号面が設けられ、データ書込み／消去やデータ書換えが可能とされた「ＨＤ  ＤＶＤ」（登録商標）用光ディスク（図示せず）等も挙げられる。また、例えば四層の信号面が設けられ、データ書込み／消去やデータ書換えが可能とされた「Blu-ray Disc」（登録商標）用光ディスク（図示せず）等も挙げられる。
【００５３】
光ピックアップ装置１０または２０は、前記各種光ディスクに記録されたデータを再生させたり、前記書込み可能もしくは書換え可能な各種光ディスクにデータを記録させたりする。光ピックアップ装置１０，２０は、ＣＤ系列のメディアと、ＤＶＤ系列のメディアと、Blu-ray Disc（登録商標）系列のメディアとに対応する。このように、光ディスク装置３００は、複数のメディアに対応可能とされる。
【００５４】
図１〜図６の如く、この光ディスク装置３００は、第一系列の光ディスク４１０に対応した第一光ピックアップ装置１０と、第一系列の光ディスク４１０と異なる仕様の第二系列の光ディスク（図示せず）に対応した第二光ピックアップ装置２０とを備えるものとして構成されている。
【００５５】
このように光ディスク装置３００が構成されていれば、一つの光ディスク装置３００にて、第一系列の光ディスク４１０または第二系列の光ディスクのデータ記録またはデータ再生が行われる。第一系列の光ディスク４１０に対応した第一光ピックアップ装置１０と、第二系列の光ディスクに対応した第二光ピックアップ装置２０とが光ディスク装置３００に装備されることにより、第一系列の光ディスク４１０の仕様と、第二系列の光ディスクの仕様とが異なっていても、各種光ディスクに対応して各光ピックアップ装置１０，２０が機能する。即ち、一つの光ディスク装置３００にて、各仕様の光ディスクのデータが再生されたり、各仕様の光ディスクにデータが記録されたりすることとなる。従って、異なる仕様の各種光ディスクに対応した光ディスク装置３００を、例えば、光ディスク装置３００の使用者や、光ディスク装置３００をコンピュータなどに組み付ける機器組立メーカ等に提供することができる。
【００５６】
この光ディスク装置３００は、高さが約４０ｍｍ、幅が約１５０ｍｍの寸法サイズに形成されている。光ディスク装置３００は、高さが略４０ｍｍ、幅が略１５０ｍｍの寸法内に収められるサイズとされている。このような寸法サイズの光ディスク装置３００が構成されていれば、光ディスク装置３００は、各種デスクトップ型パーソナルコンピュータ（図示せず）の本体（図示せず）に容易に装着される。光ディスク装置３００の奥行き寸法は、不図示の各種デスクトップ型パーソナルコンピュータの本体の奥行き寸法に対応して決定される。
【００５７】
デスクトップ型パーソナルコンピュータは、ノート型パーソナルコンピュータや、ラップトップ型パーソナルコンピュータと異なる構造とされている。デスクトップ型パーソナルコンピュータは、通常、机に装備されて用いられる。ノート型パーソナルコンピュータや、ラップトップ型パーソナルコンピュータは、容易に持運びが可能とされている。これに対し、デスクトップ型パーソナルコンピュータは、一般に容易に持運びができないコンピュータとされている。
【００５８】
図２〜図６の如く、第一系列の光ディスク４１０として、塵や埃や外部のものから光ディスク本体４１１を保護するカートリッジ４１５が装備されたカートリッジ付ディスク４１０が用いられている。
【００５９】
光ディスク装置３００は、各種光ディスクに対応可能な汎用性に優れるものとして使用可能とされる。これまでは、塵や埃や外部のものから光ディスク本体４１１を保護するカートリッジ４１５が装備された第一系列光ディスク４１０の光ディスク本体４１１のデータが再生されたり、第一系列光ディスク４１０の光ディスク本体４１１にデータが記録されたりするときには、第一系列の光ディスク４１０に対応した光ディスク装置が必要とされていた。また、これまでは、例えば、第一系列の光ディスク４１０と異なる仕様とされるカートリッジ未装着の第二系列光ディスクのデータが再生されたり、第二系列光ディス
クにデータが記録されたりするときには、第二系列の光ディスクに対応した光ディスク装置が必要とされていた。
【００６０】
しかしながら、塵や埃や外部のものから光ディスク本体４１１を保護するためのカートリッジ４１５が装備された第一系列の光ディスク４１０と、カートリッジ４１５が装備されていない第二系列の光ディスク（図示せず）との両方に対応する光ディスク装置３００が構成されていれば、一つの光ディスク装置３００で、第一系列の光ディスク４１０または第二系列の光ディスクのデータ記録またはデータ再生が実行可能となる。従って、汎用性に優れた光ディスク装置３００を、例えば、光ディスク装置３００の使用者や、光ディスク装置３００をコンピュータなどに組み付ける機器組立メーカ等に提供することができる。
【００６１】
カートリッジ４１５が装備された第一系列の光ディスク４１０の光ディスク本体４１１と、カートリッジ４１５が装備されていない第二系列の光ディスクとは、同じサイズの光ディスクとされる。カートリッジ４１５が装備された第一系列の光ディスク４１０の光ディスク本体４１１およびカートリッジ４１５が装備されていない第二系列の光ディスクは、外径１２０ｍｍ（ミリメートル）、中心孔径１５ｍｍ、厚さが１．２ｍｍの円板として形成されている。
【００６２】
図１〜図６の如く、この光ディスク装置３００は、第一光ピックアップ装置１０が装備される略板状の金属製第一シャーシ２１０と、第二光ピックアップ装置２０が装備される略板状の金属製第二シャーシ２２０と、第一光ピックアップ装置１０が装備された第一シャーシ２１０および第二光ピックアップ装置２０が装備された第二シャーシ２２０を収容可能な光ディスク装置本体３５０と、第一系列の光ディスク４１０が装備可能とされ、光ディスク装置３００の前側から出入り自在のトレー（図示せず）とを、さらに備えるものとして構成されている。
【００６３】
光ディスク装置本体３５０に対し、トレーに装備された第一系列の光ディスク４１０の挿入または排出が、光ディスク装置本体３５０の前側において行われるときに、第一シャーシ２１０または第二シャーシ２２０の何れか一方または両方が、光ディスク装置本体３５０の下側に向けて傾斜されつつ可動する。
【００６４】
これにより、第一系列の光ディスク４１０は、トレーと共に光ディスク装置本体３５０内にスムーズに挿入される。また、第一系列の光ディスク４１０は、トレーと共に光ディスク装置本体３５０内からスムーズに排出される。シャーシとは、例えば、各種部品が取り付けられる台を意味する。
【００６５】
光ディスク装置本体３５０に対し、第一系列の光ディスク４１０の挿入または排出が行われるときに、第一光ピックアップ装置１０を備える第一シャーシ２１０または第二光ピックアップ装置２０を備える第二シャーシ２２０の何れか一方または両方が、光ディスク装置本体３５０の斜め下側に向けて可動して、第一系列の光ディスク４１０のカートリッジ４１５に対する干渉を回避するので、第一光ピックアップ装置１０または第二光ピックアップ装置２０の何れか一方または両方が、第一系列の光ディスク４１０のカートリッジ４１５と干渉するという不具合の発生は回避される。従って、光ディスク装置本体３５０に対する第一系列の光ディスク４１０の着脱作業は、スムーズに行われる。
【００６６】
第一系列の光ディスク４１０または第二系列の光ディスクは、トレーに装備された状態で、ディスク装置３００の前側からトレーと共に光ディスク装置本体３５０内に挿入される。また、第一系列の光ディスク４１０または第二系列の光ディスクは、トレーに装備された状態で、トレーと共に光ディスク装置本体３５０内からディスク装置３００の前側に
排出される。
【００６７】
なお、この明細書における「前」、「後」、「上」、「下」の定義は、ディスク装置３００を分かり易くさせるための便宜上の定義とされる。
【００６８】
トレーに装備された第一系列の光ディスク４１０が、光ディスク装置本体３５０の外部から光ディスク装置本体３５０の内部３５８に挿入されたときに（図２〜図４）、光ディスク装置本体３５０の下側の基板３５１に対し傾斜された第一シャーシ２１０または第二シャーシ２２０の何れか一方または両方を、第一系列の光ディスク４１０の光ディスク本体４１１に向けて可動させて、第一系列の光ディスク４１０の光ディスク本体４１１から離間した第一光ピックアップ装置１０または第二光ピックアップ装置２０の何れか一方または両方を、第一系列の光ディスク４１０の光ディスク本体４１１に近接させる（図５，図６）。
【００６９】
これにより、第一系列の光ディスク４１０は、光ディスク装置本体３５０の外部から光ディスク装置本体３５０の内部３５８にトレーと共にスムーズに挿入される。トレーに装備された第一系列の光ディスク４１０が、光ディスク装置本体３５０の外部から光ディスク装置本体３５０の内部３５８に挿入されるときに、第一光ピックアップ装置１０を備える第一シャーシ２１０または第二光ピックアップ装置２０を備える第二シャーシ２２０の何れか一方または両方は、光ディスク装置本体３５０の下側の基板３５１に対して傾斜され、第一光ピックアップ装置１０または第二光ピックアップ装置２０の何れか一方または両方は、第一系列の光ディスク４１０のカートリッジ４１５から離間されているので、第一系列の光ディスク４１０のカートリッジ４１５が第一光ピックアップ装置１０または第二光ピックアップ装置２０の何れか一方または両方に当たり、光ディスク装置本体３５０の外部から光ディスク装置本体３５０の内部３５８に第一系列の光ディスク４１０がスムーズに挿入されないという不具合の発生は回避される。
【００７０】
また、第一系列の光ディスク４１０の光ディスク本体４１１から離間した第一光ピックアップ装置１０または第二光ピックアップ装置２０の何れか一方または両方を、第一系列の光ディスク４１０の光ディスク本体４１１に近接させることで、第一系列光ディスク４１０の光ディスク本体４１１のデータ再生や、第一系列光ディスク４１０へのデータ記録が可能となる。
【００７１】
図２〜図４の如く、トレーに装備された第一系列の光ディスク４１０が光ディスク装置本体３５０の内部３５８から光ディスク装置本体３５０の外部に排出されるときに、第一シャーシ２１０または第二シャーシ２２０の何れか一方または両方を、光ディスク装置本体３５０の下側の基板３５１に対し傾斜させて、第一系列の光ディスク４１０の光ディスク本体４１１に近接した第一光ピックアップ装置１０または第二光ピックアップ装置２０の何れか一方または両方を、第一系列の光ディスク４１０の光ディスク本体４１１から離間させる。
【００７２】
これにより、第一系列の光ディスク４１０は、光ディスク装置本体３５０の内部３５８から光ディスク装置本体３５０の外部にトレーと共にスムーズに排出される。トレーに装備された第一系列の光ディスク４１０が、光ディスク装置本体３５０の内部３５８から光ディスク装置本体３５０の外部に排出されるときに、第一光ピックアップ装置１０を備える第一シャーシ２１０または第二光ピックアップ装置２０を備える第二シャーシ２２０の何れか一方または両方を、光ディスク装置本体３５０の下側の基板３５１に対し傾斜させて、第一系列の光ディスク４１０の光ディスク本体４１１に近接した第一光ピックアップ装置１０または第二光ピックアップ装置２０の何れか一方または両方を、第一系列の光ディスク４１０の光ディスク本体４１１から離間させるので、第一系列の光ディスク４１０
のカートリッジ４１５が第一光ピックアップ装置１０または第二光ピックアップ装置２０の何れか一方または両方に引っ掛かり、光ディスク装置本体３５０の内部３５８から光ディスク装置本体３５０の外部に第一系列の光ディスク４１０がスムーズに排出されなという不具合の発生は回避される。
【００７３】
図１〜図６の如く、この光ディスク装置３００は、電子部品、機械部品などの各種部品が装着される金属または合成樹脂製のメインシャーシ２００と、メインシャーシ２００と第一シャーシ２１０とを回動可能に連結する金属または合成樹脂製の第一ヒンジ１１０と、第一シャーシ２１０と第二シャーシ２２０とを回動可能に連結する金属または合成樹脂製の第二ヒンジ１２０とを、さらに備えるものとして構成されている。
【００７４】
このように光ディスク装置３００が構成されていれば、メインシャーシ２００に対し、第一光ピックアップ装置１０を備える第一シャーシ２１０は、第一ヒンジ１１０によりスムーズに回動される。また、第一光ピックアップ装置１０を備える第一シャーシ２１０に対し、第二光ピックアップ装置２０を備える第二シャーシ２２０は、第二ヒンジ１２０によりスムーズに回動される。ヒンジとは、例えば、回動自在な支点を備える機構のものを意味し、蝶番などとも呼ばれる。
【００７５】
第一光ピックアップ装置１０を備える第一シャーシ２１０は、第一ヒンジ１１０、第二ヒンジ１２０によってスムーズに回動され（図２〜図４）、また、第二光ピックアップ装置２０を備える第二シャーシ２２０は、第二ヒンジ１２０によってスムーズに回動される（図３）ので、光ディスク装置本体３５０に対する第一系列の光ディスク４１０の着脱作業が行われるときに、第一系列の光ディスク４１０のカートリッジ４１５と、第一光ピックアップ装置１０または第二光ピックアップ装置２０の何れか一方または両方とが干渉し、光ディスク装置本体３５０に対する第一系列の光ディスク４１０の着脱作業に支障をきたすという不具合の発生は回避される。
【００７６】
第一系列の光ディスク４１０または第二系列の光ディスク（図示せず）が挿入または排出される開口部３５４が、光ディスク装置本体３５０の前側部３６２に設けられている。また、光ディスク装置本体３５０の後側部３６１に対応したメインシャーシ２００の後部２０１と、メインシャーシ２００の後部２０１に対応した第一シャーシ２１０の後部２１１とが、第一ヒンジ１１０により回動可能に連結されている。また、光ディスク装置本体３５０の前側部３６２に対応した第一シャーシ２１０の前部２１２と、第一シャーシ２１０の前部２１２に対応した第二シャーシ２２０の前部２２２とが、第二ヒンジ１２０により回動可能に連結されている。
【００７７】
これにより、光ディスク装置本体３５０に対する第一系列の光ディスク４１０または第二系列の光ディスクの着脱作業は、よりスムーズに行われる。
【００７８】
第一系列の光ディスク４１０または第二系列の光ディスクが、光ディスク装置本体３５０の前側部３６２の開口部３５４にて挿入または排出されるときに、メインシャーシ２００の後部２０１に第一ヒンジ１１０を介して連結された第一シャーシ２１０が回動されて、第一シャーシ２１０に装備された第一光ピックアップ装置１０と、第一系列の光ディスク４１０または第二系列の光ディスクとの干渉が回避される（図２〜図４）。
【００７９】
また、第一系列の光ディスク４１０または第二系列の光ディスクが光ディスク装置本体３５０の前側部３６２の開口部３５４にて挿入または排出されるときに、第一シャーシ２１０の前部２１２に第二ヒンジ１２０を介して連結された第二シャーシ２２０が回動されて、第二シャーシ２２０に装備された第二光ピックアップ装置２０と、第一系列の光ディスク４１０または第二系列の光ディスクとの干渉が回避される（図３）。
【００８０】
第一系列の光ディスク４１０（図２〜図６）は、塵や埃や外部のものから光ディスク本体４１１を保護するためのカートリッジ４１５を備えるものとされている。そのため、カートリッジ４１５が装備されていない裸状のディスクと、第一系列の光ディスク４１０とを比較した場合、第一系列の光ディスク４１０は、カートリッジ４１５の分だけ大きいものとなる。
【００８１】
図５または図６に示す状態では、光ディスク装置本体３５０に対し、第一系列の光ディスク４１０の挿入または排出はスムーズに行われない。光ディスク装置本体３５０に対し、第一系列の光ディスク４１０の挿入または排出が行われるときに、第一光ピックアップ装置１０を備える第一シャーシ２１０が、光ディスク装置本体３５０の斜め下側に向けて可動するので（図２，図４）、第一系列の光ディスク４１０のカートリッジ４１５に第一光ピックアップ装置１０が干渉するという不具合の発生は回避される。
【００８２】
また、光ディスク装置本体３５０に対し、第一系列の光ディスク４１０の挿入または排出が行われるときに、第二光ピックアップ装置２０を備える第二シャーシ２２０が、光ディスク装置本体３５０の斜め下側に向けて可動するので（図３）、第一系列の光ディスク４１０のカートリッジ４１５に第二光ピックアップ装置２０が干渉するという不具合の発生は回避される。
【００８３】
また、光ディスク装置本体３５０に対し、第一系列の光ディスク４１０の挿入または排出が行われるときに、第一光ピックアップ装置１０を備える第一シャーシ２１０および第二光ピックアップ装置２０を備える第二シャーシ２２０が、光ディスク装置本体３５０の斜め下側に向けて可動するので（図２〜図４）、第一系列の光ディスク４１０のカートリッジ４１５に第一光ピックアップ装置１０および／または第二光ピックアップ装置２０が干渉するという不具合の発生は回避される。
【００８４】
第二系列の光ディスクとして、塵や埃や外部のものから光ディスク本体４１１を保護するカートリッジ４１５が未装備の裸状ディスク（図示せず）が用いられた。カートリッジ４１５が未装備の裸状ディスクは、例えば、図１に示す光ディスク本体４１１の如く、光ディスク装置３００に装備される。
【００８５】
光ディスク装置３００は、各種光ディスクに対応可能な汎用性に優れるものとして使用可能とされる。ディスクの仕様は、主に二つに大別される。例えば、第一系列の光ディスク４１０として、塵や埃や外部のものから光ディスク本体４１１を保護するカートリッジ４１５が装備されたカートリッジ付ディスク４１０が挙げられる。また、第二系列の光ディスクとして、塵や埃や外部のものから光ディスク本体４１１を保護するカートリッジ４１５が未装備の裸状ディスクが挙げられる。カートリッジ無ディスクは、例えば広範囲のメディアに用いられている。
【００８６】
塵や埃や外部のものから光ディスク本体４１１を保護するためのカートリッジ４１５が装備された第一系列の光ディスク４１０と、塵や埃や外部のものから光ディスク本体４１１を保護するカートリッジ４１５が未装備の第二系列の光ディスクとの両方に対応する光ディスク装置３００が構成されていれば、一つの光ディスク装置３００で、第一系列の光ディスク４１０または第二系列の光ディスクのデータ記録またはデータ再生が実行可能となる。従って、汎用性に優れた光ディスク装置３００を、例えば、光ディスク装置３００の使用者や、光ディスク装置３００をコンピュータなどに組み付ける機器組立メーカ等に提供することができる。
【００８７】
第二系列の光ディスクとして、例えば、塵や埃や外部のものから光ディスク本体４１１
を保護するカートリッジ４１５が装備されたカートリッジ付ディスク（図示せず）が用いられてもよい。例えば、第二系列の光ディスクのカートリッジ（図示せず）は、第一系列の光ディスク４１０に装備されたカートリッジ４１５と異なる形状とされる。
【００８８】
光ディスク装置３００は、各種カートリッジ付ディスクに対応可能な汎用性に優れるものとして使用可能とされる。近年、カートリッジ付ＤＶＤ−ＲＡＭや、Blu-ray Disc（登録商標）などの各種形態のカートリッジ付ディスクが発表された。
【００８９】
これまでは、塵や埃や外部のものから光ディスク本体４１１を保護するカートリッジ４１５が装備された第一系列ディスク４１０の光ディスク本体４１１のデータが再生されたり、第一系列ディスク４１０の光ディスク本体４１１にデータが記録されたりするときには、第一系列ディスク４１０に対応した光ディスク装置が必要とされていた。また、これまでは、第一系列ディスク４１０のカートリッジ４１５と異なる形状の光ディスク本体保護用カートリッジ（図示せず）が装備された第二系列ディスクの光ディスク本体のデータが再生されたり、第二系列ディスクの光ディスク本体にデータが記録されたりするときには、第二系列ディスクに対応した光ディスク装置が必要とされていた。
【００９０】
しかしながら、塵や埃や外部のものから光ディスク本体４１１を保護するためのカートリッジ４１５が装備された第一系列ディスク４１０と、第一系列ディスク４１０のカートリッジ４１５と異なる形状の光ディスク本体保護用カートリッジが装備された第二系列ディスクとの両方に対応する光ディスク装置３００が構成されていれば、一つの光ディスク装置３００で、第一系列ディスク４１０の光ディスク本体４１１または第二系列ディスクの光ディスク本体のデータ記録またはデータ再生が実行可能となる。従って、汎用性に優れた光ディスク装置３００を、例えば、光ディスク装置３００の使用者や、光ディスク装置３００をコンピュータなどに組み付ける機器組立メーカ等に提供することができる。
【００９１】
図１〜図６に示す光ディスク装置３００は、第一系列メディアに対応可能な第一光ピックアップ装置１０と、第一系列メディアと異なるメディアとされる第二系列メディアに対応可能な第二光ピックアップ装置２０とを備えるものとして構成されている。
【００９２】
これにより、光ディスク装置３００は、第一系列メディアと、第一系列メディアと異なるメディアとされる第二系列メディアとに対応可能となる。例えば、ＤＶＤなどの従来のメディアとの互換性をもたせた第一系列メディア〔例：「ＣＤ」，「ＤＶＤ」，「ＨＤ  ＤＶＤ」（登録商標）等〕用の第一光ピックアップ装置１０と、ＤＶＤなどの従来のメディアとの互換性がもたされず第一系列メディアと異なるメディアとされた大容量の第二系列メディア〔例：「Blu-ray Disc」（登録商標）等〕用の第二光ピックアップ装置２０とは、仕様／構造などが異なる。
【００９３】
「ＣＤ」，「ＤＶＤ」，「ＨＤ  ＤＶＤ」（登録商標）などの第一系列メディアに対応した第一光ピックアップ装置１０と、「Blu-ray Disc」（登録商標）などの第二系列メディアに対応した第二光ピックアップ装置２０との二つの光ピックアップ装置１０，２０が、一つの光ディスク装置３００に装備されていれば、この光ディスク装置３００は、「ＣＤ」，「ＤＶＤ」，「ＨＤ  ＤＶＤ」（登録商標）などの第一系列メディアのデータ記録またはデータ再生が可能となると共に、「Blu-ray Disc」（登録商標）などの第二系列メディアのデータ記録またはデータ再生も可能となる。従って、第一系列メディアと、第一系列メディアと異なるメディアとされる第二系列メディアとに対応可能な光ディスク装置３００を、例えば、光ディスク装置３００の使用者や、光ディスク装置３００をコンピュータなどに組み付ける機器組立メーカ等に提供することができる。
【００９４】
第一光ピックアップ装置の設計／仕様などにより、例えば、第一光ピックアップ装置（
１０）が、「ＣＤ」／「ＤＶＤ」などに対応した従来の赤外レーザ／赤色レーザを発する光ピックアップ装置（１０）とされ、第二光ピックアップ装置（２０）が、「ＨＤ  ＤＶＤ」（登録商標），「Blu-ray Disc」（登録商標）などに対応した青紫色レーザを発する光ピックアップ装置（２０）とされた光ディスク装置（３００）も使用可能とされる。
【００９５】
第二光ピックアップ装置（２０）が、「ＨＤ  ＤＶＤ」（登録商標），「Blu-ray Disc」（登録商標）など青紫色の単色レーザを発するものとされていれば、第一光ピックアップ装置（１０）に青紫色用の発光素子が装備されることなく、第二光ピックアップ装置（２０）だけに青紫色用の発光素子が装備されることで、光ディスク装置（３００）は、「ＨＤ  ＤＶＤ」（登録商標），「Blu-ray Disc」（登録商標）に対応可能となる。従って、光ディスク装置（３００）の部品削減化が行われ、光ディスク装置（３００）の薄型化、軽量化、低価格化が図られる。
【００９６】
光ディスク装置３００は、例えば、デスクトップ型パーソナルコンピュータ（図示せず）などのコンピュータや、ＣＤプレーヤなどの音響機器や、ＤＶＤプレーヤなどの音響／映像機器（図示せず）などに装備可能とされる。
【００９７】
本発明のディスク装置は、図示されたものに限定されるものではない。本発明のものは、その要旨を逸脱しない範囲において、種々変更可能とされる。
【図面の簡単な説明】
【００９８】
【図１】本発明に係るディスク装置の一実施の形態を示す平面図である。
【図２】ディスク装置にディスクが取り付けられる状態またはディスク装置からディスクが取り外される状態を示す説明図である。
【図３】同じくディスク装置にディスクが取り付けられる状態またはディスク装置からディスクが取り外される状態を示す説明図である。
【図４】同じくディスク装置にディスクが取り付けられる状態またはディスク装置からディスクが取り外される状態を示す説明図である。
【図５】ディスク装置にディスクが取り付けられた後の状態またはディスク装置からディスクが取り外される前の状態を示す説明図である。
【図６】同じくディスク装置にディスクが取り付けられた後の状態またはディスク装置からディスクが取り外される前の状態を示す説明図である。
【図７】従来のディスク装置の一形態を示す平面図である。
【符号の説明】
【００９９】
１０            第一ピックアップ装置（ピックアップ装置）
１５，２５      対物レンズ
２０            第二ピックアップ装置（ピックアップ装置）
１１０          第一ヒンジ
１２０          第二ヒンジ
２００          メインシャーシ
２０１，２１１  後部
２１０          第一シャーシ
２１２，２２２  前部
２２０          第二シャーシ
３００          光ディスク装置（ディスク装置）
３２０          ディスクドライブ装置
３３０          筐体
３４０          カバー
３５０          光ディスク装置本体（ディスク装置本体）
３５１          基板
３５４          開口部
３５８          内部
３６１          後側部
３６２          前側部
４１０          カートリッジ付ディスク（ディスク）
４１１          光ディスク本体（ディスク本体）
４１５          カートリッジ
【図１】
2007073092.tif 000003
【図２】
2007073092.tif 000004
【図３】
2007073092.tif 000005
【図４】
2007073092.tif 000006
【図５】
2007073092.tif 000007
【図６】
2007073092.tif 000008
【図７】
2007073092.tif 000009